(57)【特許請求の範囲】
【請求項１】
軸心方向の案内溝が形成された収納筒と、この収納筒内にスライド可能に収納されたスライド軸、このスライド軸の先端部に取付けられた前記収納筒の先端部より出没可能なブラシ、前記収納筒内にガイド片挿入孔を残すことができるように前記スライド軸の後端部と一体成形されたロッド、前記収納筒の案内溝より外方へ突出するように該ロッドの後端部寄りの外側面部位に一体成形されたガイドピンおよび前記ロッドの後端部寄りの内側面部位に形成された係合部とからなる化粧用ブラシ本体と、前記収納筒の後端部に嵌合固定される嵌合部、この嵌合部と一体成形された前記ガイド片挿入孔内に位置するガイド片、このガイド片の先端部寄りの部位に形成された前記ロッドのガイドピンを前記収納筒内に収納できるように変形させた場合に、該変形を受けることができる凹部およびこの凹部に形成された前記ロッドの係合部と係合し、該ロッドを回動させることができる係合部とからなる嵌合部材と、前記収納筒の先端部寄りの部位に前記化粧用ブラシ本体を常時ブラシを該収納筒内に収納できるように付勢する付勢スプリングとを備えることを特徴とする化粧用ブラシ。
【請求項２】
軸心方向の案内溝が形成された収納筒と、この収納筒内にスライド可能に収納されたスライド軸、このスライド軸の先端部に取付けられた前記収納筒の先端部より出没可能なブラシ、前記収納筒内にガイド片挿入孔を残すことができるように前記スライド軸の後端部と一体成形された変形可能な棒状のロッドおよび前記収納筒の案内溝より外方へ突出するように該ロッドの後端部寄りの外側面部位に一体成形されたガイドピンとからなる化粧用ブラシ本体と、前記収納筒の後端部に嵌合固定される嵌合部、この嵌合部と一体成形された前記ガイド片挿入孔内に位置し、前記ロッドがスライド移動可能に収納されるロッドガイド溝を有するガイド片およびこのガイド片の先端部寄りのロッドガイド溝内に前記ロッドのガイドピンを前記収納筒内に収納できるように変形させた場合に、該変形を受けることができる凹部とからなる嵌合部材と、前記収納筒の先端部寄りの部位に前記化粧用ブラシ本体を常時ブラシを該収納筒内に収納できるように付勢する付勢スプリングと、前記収納筒の先端部および後端部と嵌合するとともに、前記ガイドピンを押し付けて収納筒の先端部よりブラシを突出させることができるキャップとを備えることを特徴とする化粧用ブラシ。
【発明の詳細な説明】
【０００１】
【産業上の利用分野】
本発明はリップブラシ等の化粧する場合に使用される化粧用ブラシに関する。
【０００２】
【従来の技術】
従来のリップブラシは先端部に楕円形状のブラシの出没孔が形成されたケース体と、このケース体内の先端部寄りの部位に圧入固定されたガイド筒と、前記ケース体の後端部に嵌合固定されたストッパー筒と、このストッパー筒と前記ガイド筒にスライド移動可能に取付けられた、不使用時には先端部が前記ケース体内に位置し、後端部がケース体の後端部より突出する前記出没孔と同形状のブラシを有するブラシ本体と、前記ケース体内に収納された一端が前記ガイド筒に支持され、他端が該ガイド筒と前記ストッパー筒との間に位置する前記ブラシ本体の係止片に支持され、常時ブラシ本体の先端部を収納する方向に付勢する付勢スプリングと、前記ケース体の後端部に着脱可能に嵌合し、前記ブラシ本体を使用できるように押し圧することができるキャップとで構成されている。
【０００３】
【本発明が解決しようとする課題】
従来のリップブラシはケース体内の先端部寄りの部位にガイド筒を圧入固定しているため、ガイド筒の取付けに手数がかかり、コスト高になるという欠点があった。また、ケース体の先端部のブラシの出没孔とブラシ本体の先端部のブラシとの位置合せとに手数がかかり、組立てに苦労するという欠点があった。
【０００４】
本発明は以上のような従来の欠点に鑑み、部品点数が少なく、組立てが容易に楽に行なうことができ、製造コストの低減を図ることができる化粧用ブラシを提供することを目的としている。
【０００５】
本発明の前記ならびにそのほかの目的と新規な特徴は次の説明を添付図面と照し合せて読むと、より完全に明らかになるであろう。
ただし、図面はもっぱら解説のためのものであって、本発明の範囲を限定するものではない。
【０００６】
【課題を解決するための手段】
上記目的を達成するために、本発明は軸心方向の案内溝が形成された収納筒と、この収納筒内にスライド可能に収納されたスライド軸、このスライド軸の先端部に取付けられた前記収納筒の先端部より出没可能なブラシ、前記収納筒内にガイド片挿入孔を残すことができるように前記スライド軸の後端部と一体成形されたロッド、前記収納筒の案内溝より外方へ突出するように該ロッドの後端部寄りの外側面部位に一体成形されたガイドピンおよび前記ロッドの後端部寄りの内側面部位に形成された係合部とからなる化粧用ブラシ本体と、前記収納筒の後端部に嵌合固定される嵌合部、この嵌合部と一体成形された前記ガイド片挿入孔内に位置するガイド片、このガイド片の先端部寄りの部位に形成された前記ロッドのガイドピンを前記収納筒内に収納できるように変形させた場合に、該変形を受けることができる凹部およびこの凹部に形成された前記ロッドの係合部と係合し、該ロッドを回動させることができる係合部とからなる嵌合部材と、前記収納筒の先端部寄りの部位に前記化粧用ブラシ本体を常時ブラシを該収納筒内に収納できるように付勢する付勢スプリングとで化粧用ブラシを構成している。
【０００７】
【作用】
上記のように構成された化粧用ブラシは、化粧用ブラシ本体のスライド軸の外周部に付勢スプリングをセットし、収納筒の後端部よりブラシを先端にして挿入する。また、嵌合部材のガイド片の凹部の上部にロッドの係合部を位置させ、ガイドピンを押し付けて変形させ収納筒内へ押し込む。ガイドピンが収納筒内に位置すると嵌合部材で内部に押し込むとともに、嵌合部材を回動させることによりガイドピンが案内溝に位置して外方へ突出し、嵌合部材の嵌合部を収納筒の後端部に嵌合させて組立てが完了する。
【０００８】
【本発明の実施例】
以下、図面に示す実施例により、本発明を詳細に説明する。
【０００９】
図１ないし図６の本発明の第１の実施例において、１は先端部にブラシの出没孔２が形成された筒状の収納筒で、この収納筒１の後端部寄りの部位には軸心方向の案内溝３が形成され、先端外周部と後端外周部にキャップ嵌合部４、５が形成されている。
【００１０】
６は前記収納筒１内にスライド可能に収納された化粧用ブラシ本体で、この化粧用ブラシ本体６は前記収納筒１の内径寸法よりもわずかに小さい外径寸法の軸部７およびこの軸部７よりも小径寸法で前記ブラシの出没孔２よりも先端部が外方に突出する小径軸部８とからなるスライド軸９と、このスライド軸９の小径軸部８の先端部に取付けられたブラシ１０と、前記スライド軸９の軸部７の後端一部外周部と一体成形された後方へ突出する断面形状が弧状のロッド１１と、このロッド１１の後端部寄りの部位の外側部に一体成形された前記収納筒１の案内溝３より外方へ突出する、該案内溝３をスライド移動するガイドピン１２と、このガイドピン１２と対応する部位の前記ロッド１１の内側面に形成された凹部状の係合部１３とで構成されている。
【００１１】
１４は前記収納筒１の後端部に嵌合固定される嵌合部材で、この嵌合部材１４は前記収納筒１の後端部に嵌合固定される嵌合部１５と、この嵌合部１５と一体成形された前記収納筒１内の前記ロッド１１を除く部位のガイド片挿入孔１６に挿入されるガイド片１７と、このガイド片１７の先端部寄りの部位に形成された前記ガイドピン１２を前記収納筒１内へ挿入するように変形させた場合に、該変形を受けることができる凹部１８と、この凹部１８に形成された前記ロッド１１の係合部１３と係合する突片状の係合部１９とで構成されている。
【００１２】
２０は前記化粧用ブラシ本体６の小径軸部８に収納された、常時ブラシ１０を収納筒内に収納するように付勢する付勢スプリングである。
【００１３】
２１は前記収納筒１の先端キャップ嵌合部４と後端キャップ嵌合部５とに嵌合されるキャップである。
【００１４】
上記構成の化粧用ブラシ２２は、化粧用ブラシ本体６の小径軸部８に付勢スプリング２０をセットし、収納筒１の後端部よりブラシ１０が先端部となるように該収納筒１の内部に押し込むとともに、化粧用ブラシ本体６のロッド１１と嵌合部材１４のガイド片１７とを重ね合せて収納筒１内へ押し込む。
【００１５】
ロッド１１のガイドピン１２が収納筒１の後端部に位置すると、図５に示すようにガイドピン１２を押し付けてガイド片１７の凹部１８内へ位置させ、収納筒１内へ入り込むように変形させながら内部へ押し込む。
ガイドピン１２が案内溝３部に位置する所まで押し込んだ所で、図６に示すように嵌合部材１４を回転させ、ガイドピン１２を案内溝３より突出させる。
しかる後、嵌合部材１４を押し込み、収納筒１の後端部と嵌合部１５とを嵌合固定する。
【００１６】
この状態で、化粧用ブラシ本体６はブラシ１０が収納筒１内に収納された状態に付勢スプリング２０で付勢された状態となる。
使用する場合には収納筒１の後端部にキャップ２１を嵌合させることにより、キャップ２１がガイドピン１２を押し付け、付勢スプリング２０の付勢力に抗して化粧用ブラシ本体６が前方へスライド移動し、ブラシ１０が収納筒１のブラシの出没孔２より外方へ突出する。
【００１７】
【本発明の異なる実施例】
次に図７ないし図１４に示す本発明の異なる実施例につき説明する。なお、これらの本発明の異なる実施例の説明に当って、前記本発明の第１の実施例と同一構成部分には同一符号を付して重複する説明を省略する。
【００１８】
図７ないし図１１の本発明の第２の実施例において、前記本発明の第１の実施例と主に異なる点は、棒状のロッド１１Ａが形成された化粧用ブラシ本体６Ａと、この化粧用ブラシ本体６Ａのロッド１１Ａが収納されるロッドガイド溝２３が形成されたガイド片１７Ａを有する嵌合部材１４Ａとを用いた点で、このように形成された化粧用ブラシ本体６Ａと嵌合部材１４Ａとを用いて構成した化粧用ブラシ２２Ａにしても、前記本発明の第１の実施例と同様な作用効果が得られる。
【００１９】
図１２ないし図１４の本発明の第３の実施例において、前記本発明の第２の実施例と主に異なる点は、先端部に楕円形状のブラシの出没孔２Ａを形成した収納筒１Ａと、この収納筒１Ａのブラシの出没孔２Ａより出没する平らな形状のブラシ１０Ａを取付けた化粧用ブラシ本体６Ｂとを用いた点で、このように形成された収納筒１Ａと化粧用ブラシ本体６Ｂとを用いて構成した化粧用ブラシ２２Ｂにしても、前記本発明の第２の実施例と同様な作用効果が得られる。
【００２０】
【本発明の効果】
以上の説明から明らかなように、本発明にあっては次に列挙する効果が得られる。
【００２１】
（１）軸心方向の案内溝が形成された収納筒と、この収納筒内にスライド可能に収納されたスライド軸、このスライド軸の先端部に取付けられた前記収納筒の先端部より出没可能なブラシ、前記収納筒内にガイド片挿入孔を残すことができるように前記スライド軸の後端部と一体成形されたロッド、前記収納筒の案内溝より外方へ突出するように該ロッドの後端部寄りの外側面部位に一体成形されたガイドピンおよび前記ロッドの後端部寄りの内側面部位に形成された係合部とからなる化粧用ブラシ本体と、前記収納筒の後端部に嵌合固定される嵌合部、この嵌合部と一体成形された前記ガイド片挿入孔内に位置するガイド片、このガイド片の先端部寄りの部位に形成された前記ロッドのガイドピンを前記収納筒内に収納できるように変形させた場合に、該変形を受けることができる凹部およびこの凹部に形成された前記ロッドの係合部と係合し、該ロッドを回動させることができる係合部とからなる嵌合部材と、前記収納筒の先端部寄りの部位に前記化粧用ブラシ本体を常時ブラシを該収納筒内に収納できるように付勢する付勢スプリングとで構成されているので、部品点数が少なく、安価に製造することができる。
【００２２】
（２）前記（１）によって、化粧用ブラシ本体と嵌合部材とを重ね合せて収納筒内へ押し込むとともに、ガイドピンも押し付けて変形させ、収納筒内へ押し込むことができるので取付けが容易で、短時間に行なうことができる。
したがって、組立てコストの低減を図ることができる。
【００２３】
（３）前記（１）によって、従来と同様な外観が得られる。
【００２４】
（４）請求項２も前記（１）〜（３）と同様な効果が得られる。
【図面の簡単な説明】
【図１】本発明の第１の実施例の使用状態を示す断面図。
【図２】本発明の第１の実施例の収納状態を示す断面図。
【図３】図１の３−３線に沿う拡大断面図。
【図４】本発明の第１の実施例の分解斜視図。
【図５】収納筒内にガイドピンを押し込む状態の説明図。
【図６】ガイドピンを案内溝内に位置させる状態の説明図。
【図７】本発明の第２の実施例の使用状態を示す断面図。
【図８】本発明の第２の実施例の収納状態を示す断面図。
【図９】ガイド片とロッドの係合状態を示す説明図。
【図１０】収納筒内にガイドピンを押し込む状態の説明図。
【図１１】ガイドピンを案内溝内に位置させる状態の説明図。
【図１２】本発明の第３の実施例の使用状態の断面図。
【図１３】本発明の第３の実施例の平面図。
【図１４】本発明の第３の実施例の分解斜視図。
【符号の説明】
１、１Ａ：収納筒、        ２、２Ａ：ブラシの出没孔、
３：案内溝、
４：先端キャップ嵌合部、  ５：後端キャップ嵌合部、
６、６Ａ、６Ｂ：化粧用ブラシ本体、
７：軸部、                ８：小径軸部、
９：スライド軸、          １０、１０Ａ：ブラシ、
１１、１１Ａ：ロッド、    １２：ガイドピン、
１３：係合部、            １４、１４Ａ：嵌合部材、
１５：嵌合部、            １６：ガイド片挿入孔、
１７、１７Ａ：ガイド片、  １８：凹部、
１９：係合部、            ２０：付勢スプリング、
２１：キャップ、
２２、２２Ａ、２２Ｂ：化粧用ブラシ、
２３：ロッドガイド溝。
【図１】
0003589705.tif 000002
【図２】
0003589705.tif 000003
【図３】
0003589705.tif 000004
【図４】
0003589705.tif 000005
【図５】
0003589705.tif 000006
【図６】
0003589705.tif 000007
【図７】
0003589705.tif 000008
【図８】
0003589705.tif 000009
【図９】
0003589705.tif 000010
【図１０】
0003589705.tif 000011
【図１１】
0003589705.tif 000012
【図１２】
0003589705.tif 000013
【図１３】
0003589705.tif 000014
【図１４】
0003589705.tif 000015